(57)【要約】【課題】  親機以外の場所にも来訪者或いは侵入者映像を録画保存することで、親機が取り外されても侵入者を特定することが可能なインターホンシステムを提供する。【解決手段】  居住者を呼び出すための子機１に設けた子機カメラ１２の撮像映像に加えて、呼び出しに応答するための親機２に設けた親機カメラ２４の撮像映像を保存するために、親機記憶部２７に加えて子機１に子機記憶部１４を設けた。また親機２に増設親機３が接続されている場合には、増設親機３にも増設親機記憶部３７を設けて映像の保存を可能とした。【選択図】  図１
2019036866.tif 000002
【特許請求の範囲】
【請求項１】
居住者を呼び出して通話する機能を備えると共に来訪者を撮像するための子機カメラを備えた子機と、前記子機からの呼び出しに応答する機能を備えると共に前記子機カメラの撮像映像を表示するモニタを備えた親機とを有するインターホンシステムであって、
映像を保存する第１映像保存部を前記子機に設け、
前記子機カメラの撮像映像の保存を前記第１映像保存部に行う映像制御部を前記親機に設けて成ることを特徴とするインターホンシステム。
【請求項２】
前記親機は、前記子機が呼出操作されたら前記子機カメラの撮像映像を自動保存する留守モードに設定する留守設定部を有し、
前記映像制御部は、前記留守モードに設定された状態で前記子機が呼出操作されたら、前記子機カメラの撮像映像の保存を前記第１映像保存部に行うことを特徴とする請求項１記載のインターホンシステム。
【請求項３】
前記親機が親機の周囲を撮像する親機カメラを有し、
前記映像制御部は、前記親機カメラの撮像映像の保存を前記第１映像保存部に行うことを特徴とする請求項１記載のインターホンシステム。
【請求項４】
前記親機は、前記子機が呼出操作されたら前記子機カメラの撮像映像を自動保存する留守モードに設定する留守設定部を有し、
前記映像制御部は、前記留守モードに設定された状態で前記子機が呼出操作されたら、前記親機カメラの撮像映像を前記第１映像保存部へ保存することを特徴とする請求項３記載のインターホンシステム。
【請求項５】
前記親機は、前記子機が呼出操作されたら前記子機カメラの撮像映像を自動保存する留守モードに設定する留守設定部と、人感センサとを備えており、
前記映像制御部は、前記留守モードに設定された状態で前記人感センサが感知動作したら、前記親機カメラの撮像映像を前記第１映像保存部へ保存することを特徴とする請求項３記載のインターホンシステム。
【請求項６】
前記親機は、前記親機カメラの撮像映像を一時保存する一時保存部を有し、
前記映像制御部は、前記留守モードに設定されたら前記親機カメラの撮像映像の前記一時保存部への保存を開始し、
その後前記人感センサが感知動作したら、感知動作した時刻の一定時間前からの撮像映像を前記一時保存部から取り出して前記第１映像保存部に保存すると共に、感知動作してからの前記親機カメラの撮像映像も合わせて前記第１映像保存部に保存することを特徴とする請求項５記載のインターホンシステム。
【請求項７】
前記親機は所定の携帯端末と通信する外部通信部と、前記携帯端末との通信を制御する通信制御部とを有し、
前記通信制御部は、前記人感センサが感知動作したら、前記携帯端末に異常発生の通知及び前記親機カメラの撮像映像の送信のうち、少なくとも異常発生の通知を行うことを特徴とする請求項５又は６記載のインターホンシステム。
【請求項８】
前記親機カメラとは異なる場所を撮像する外部カメラが前記親機に接続されており、
前記映像制御部は、前記親機カメラの撮像映像の保存に連動させて、前記外部カメラの撮像映像の保存を実施することを特徴とする請求項３乃至７の何れかに記載のインターホンシステム。
【請求項９】
前記親機と同様に前記子機からの呼び出しに応答する機能を備えた増設親機が前記親機に接続されていると共に、前記増設親機には映像を保存する第２映像保存部が設けられており、
前記映像制御部は、前記第１映像保存部への映像保存に連動させて、同一の映像を前記第２映像保存部にも保存することを特徴とする請求項１乃至７の何れかに記載のインターホンシステム。
【請求項１０】
前記子機と前記親機とを接続している伝送線の断線を検知する断線検知部が前記子機に設けられており、
前記断線検知部は、断線を検知したら前記子機から警報音を発報させることを特徴とする請求項１乃至９の何れかに記載のインターホンシステム。
【発明の詳細な説明】
【技術分野】
【０００１】
本発明は、来訪者が居住者を呼び出して通話するインターホンシステムに関し、特にカメラ及びその録画機能を備えて防犯機能を備えたインターホンシステムに関する。
【背景技術】
【０００２】
玄関に設置した子機にカメラを備えて来訪者を撮像し、住戸内に設置した親機にその撮像映像を表示するモニタを備えたインターホンシステムが防犯に有効であるため普及している。このような防犯機能を備えたインターホンシステムには、留守時には来訪者の映像を自動録画する留守モード機能を備えたものがある（例えば、特許文献１参照）。
【先行技術文献】
【特許文献】
【０００３】
【特許文献１】特開２００６−９４０２０号公報
【発明の概要】
【発明が解決しようとする課題】
【０００４】
上述した自動録画する機能を備えたインターホンシステムは、留守時の訪問者映像を保存するため、不審者が呼出操作したら当然録画されるため防犯に有効であったが、空き巣等の侵入者はこの録画機能を認識しており、保存映像から自身が特定されないように映像保存部が設けられている親機を取り外して持って帰ったり破壊する問題が発生し、せっかくの録画機能が役立たない場合があった。
【０００５】
そこで、本発明はこのような問題点に鑑み、親機以外の場所にも来訪者映像を保存することで、親機が取り外されても侵入者を特定することが可能なインターホンシステムを提供することを目的としている。
【課題を解決するための手段】
【０００６】
上記課題を解決する為に、請求項１の発明は、居住者を呼び出して通話する機能を備えると共に来訪者を撮像するための子機カメラを備えた子機と、子機からの呼び出しに応答する機能を備えると共に子機カメラの撮像映像を表示するモニタを備えた親機とを有するインターホンシステムであって、映像を保存する第１映像保存部を子機に設け、子機カメラの撮像映像の保存を第１映像保存部に行う映像制御部を親機に設けて成ることを特徴とする。
この構成によれば、子機カメラの撮像映像は子機に保存されるため、侵入した不審者により親機が取り外されて破壊若しくは持ち去られても、後から映像の確認が可能であり、侵入者の特定に役立ち防犯機能を上げることができる。
【０００７】
請求項２の発明は、請求項１に記載の構成において、親機は、子機が呼出操作されたら子機カメラの撮像映像を自動保存する留守モードに設定する留守設定部を有し、映像制御部は、留守モードに設定された状態で子機が呼出操作されたら、子機カメラの撮像映像の保存を第１映像保存部に行うことを特徴とする。
この構成によれば、留守時に来訪者による呼出操作が成されたら子機カメラの撮像撮像が自動保存され第１映像保存部に保存されるため、呼出操作した不審者映像を残すことができる。
【０００８】
請求項３の発明は、請求項１に記載の構成において、親機が親機の周囲を撮像する親機カメラを有し、映像制御部は、親機カメラの撮像映像の保存を第１映像保存部に行うことを特徴とする。
この構成によれば、親機カメラの撮像映像は子機に保存されるため、侵入した不審者により親機が取り外されて破壊若しくは持ち去られても、それまで親機カメラが撮像した映像は子機に保存されているため、映像の確認が可能であり侵入者の特定に役立ち防犯機能を上げることができる。
【０００９】
請求項４の発明は、請求項３に記載の構成において、親機は、子機が呼出操作されたら子機カメラの撮像映像を自動保存する留守モードに設定する留守設定部を有し、映像制御部は、留守モードに設定された状態で子機が呼出操作されたら、親機カメラの撮像映像を第１映像保存部へ保存することを特徴とする。
この構成によれば、留守時に来訪者があったら親機カメラの撮像撮像が保存されるため、住戸に不審者が侵入したらその映像を残すことができる。
【００１０】
請求項５の発明は、請求項３に記載の構成において、親機は、子機が呼出操作されたら子機カメラの撮像映像を自動保存する留守モードに設定する留守設定部と、人感センサとを備えており、映像制御部は、留守モードに設定された状態で人感センサが感知動作したら、親機カメラの撮像映像を第１映像保存部へ保存することを特徴とする。
この構成によれば、人感センサが不審者の存在を検知したら親機カメラの撮像撮像が保存されるため、住戸に侵入した不審者の映像を確実に残すことができる。
【００１１】
請求項６の発明は、請求項５に記載の構成において、親機は、親機カメラの撮像映像を一時保存する一時保存部を有し、映像制御部は、留守モードに設定されたら親機カメラの撮像映像の一時保存部への保存を開始し、その後人感センサが感知動作したら、感知動作した時刻の一定時間前からの撮像映像を一時保存部から取り出して第１映像保存部に保存すると共に、感知動作してからの親機カメラの撮像映像も合わせて第１映像保存部に保存することを特徴とする。
この構成によれば、人感センサの動作を受けて保存される映像は、人感センサが感知動作する一定時間前からの映像であるため、不審者を判別できる映像が保存されている確率が高い。
【００１２】
請求項７の発明は、請求項５又は６に記載の構成において、親機は所定の携帯端末と通信する外部通信部と、携帯端末との通信を制御する通信制御部とを有し、通信制御部は、人感センサが感知動作したら、携帯端末に異常発生の通知及び親機カメラの撮像映像の送信のうち、少なくとも異常発生の通知を行うことを特徴とする。
この構成によれば、居住者が携行する携帯端末に不審者の侵入を通知することが可能であり、居住者が外出していても速やかに不審者の侵入を認識でき、遅滞のない対処が可能となる。
【００１３】
請求項８の発明は、請求項３乃至７の何れかに記載の構成において、親機カメラとは異なる場所を撮像する外部カメラが親機に接続されており、映像制御部は、親機カメラの撮像映像の保存に連動させて、外部カメラの撮像映像の保存を実施することを特徴とする。
この構成によれば、親機カメラが撮像した親機周囲の映像だけでなく、異なる場所を撮像する外部カメラの撮像映像も保存されるため、広範囲の映像を保存でき不審者を撮像した映像を確実に残すことができる。
【００１４】
請求項９の発明は、請求項１乃至７の何れかに記載の構成において、親機と同様に子機からの呼び出しに応答する機能を備えた増設親機が親機に接続されていると共に、増設親機には映像を保存する第２映像保存部が設けられており、映像制御部は、第１映像保存部への映像保存に連動させて、同一の映像を第２映像保存部にも保存することを特徴とする。
この構成によれば、子機だけでなく増設親機にも映像が保存されるため、子機が破壊されても映像を残すことができ、映像の保存確率が高まる。
【００１５】
請求項１０の発明は、請求項１乃至９の何れかに記載の構成において、子機と親機とを接続している伝送線の断線を検知する断線検知部が子機に設けられており、断線検知部は、断線を検知したら子機から警報音を発報させることを特徴とする。
この構成によれば、親機が取り外されたら子機から警報音が報音されるため、近隣に異常発生を通知でき、不審者の撃退や防犯に有効である。
【発明の効果】
【００１６】
本発明によれば、親機カメラの撮像映像は子機に保存されるため、侵入した不審者により親機が取り外されて破壊若しくは持ち去られても、それまで親機カメラが撮像した映像は子機に保存されているため、映像を確認することができる。よって、侵入者の特定に役立ち防犯機能を上げることができる。
【図面の簡単な説明】
【００１７】
【図１】インターホンシステムの一例を示す構成図であり、個々の機器を回路ブロック図で示している。
【図２】インターホンシステムの他の例を示す親機の回路ブロック図である。
【発明を実施するための形態】
【００１８】
以下、本発明を具体化した実施の形態を、図面を参照して詳細に説明する。図１は本発明に係るインターホンシステムの構成図であり、１は玄関に設置されて来訪者が居住者を呼び出して通話するための子機、２は住戸内に設置されて子機１からの呼び出しに応答するための親機、３は親機２に接続されて子機１からの呼び出しに応答する機能を備えた増設親機である。また、５は親機２が公衆通信網Ｎを介して通信するスマートフォン等の携帯端末を示している。
【００１９】
子機１は、呼出操作する呼出ボタン１１、来訪者を撮像するための子機カメラ１２、通話するためのマイク及びスピーカを備えた子機通話部１３、映像を保存する子機記憶部（第１映像保存部）１４、子機カメラ１２の撮像映像を親機２に送信するためにＦＭ変調等実施する子機映像処理部１５、子機１を制御する子機ＣＰＵ１６、親機２と通信するための子機通信ＩＦ１７、非常用電源としての蓄電池１８等を備えている。
【００２０】
親機２は、呼び出しに応答するための通話ボタン２１、各種操作をする親機操作部２２、通話するためのマイク及びスピーカを備えた親機通話部２３、室内等親機２の周囲を撮像するための親機カメラ２４、子機カメラ１２及び親機カメラ２４の撮像映像及び保存映像や各種情報を表示するモニタ２５、モニタ２５に表示する映像を生成する親機映像処理部２６、映像を保存する親機記憶部２７、人物の接近を検知する人感センサ２８、親機２を制御する親機ＣＰＵ２９、子機１及び増設親機３と通信する親機通信ＩＦ３０、携帯端末５と通信する外部通信ＩＦ（外部通信部）４１等を備えている。
【００２１】
増設親機３は、呼び出しに応答するための通話ボタン３１、通話するためのマイク及びスピーカを備えた増設親機通話部３３、映像及び各種情報を表示するモニタ３５、モニタ３５に表示する映像を生成する増設親機映像処理部３６、映像を保存する増設親機記憶部（第２映像保存部）３７、増設親機３を制御する増設親機ＣＰＵ３９、親機２と通信する増設親機通信ＩＦ４０等を備えている。
【００２２】
子機１と親機２、親機２と増設親機３は、それぞれ伝送線Ｌ１，Ｌ２で接続され、親機２は公衆通信網Ｎを介して携帯端末５と通信を実施する。また、親機２、増設親機３は商用電源に接続されて電源の供給を受けているが、子機１は伝送線Ｌ１を介して親機２から電源が供給される。
【００２３】
上記の如く構成されたインターホンシステムは以下の様に動作する。但し、子機１からの呼び出し、親機２或いは増設親機３からの応答に関しては従来と同様であるため説明を省略し、ここでは子機カメラ１２及び親機カメラ２４の動作、及び撮像映像の保存を中心に説明する。
まず、通常モード状態で子機１が呼出操作されると、子機カメラ１２が起動して親機２に子機カメラ１２の撮像映像が表示され、親機２で呼出動作が行われる。但し、このときの映像は保存されないが、親機操作部２２が操作されて録画操作されたら、モニタ２５に表示されている映像が一定時間親機記憶部２７に保存される。この保存映像は親機２の操作でモニタ２５に表示される。
【００２４】
次に、親機操作部２２が操作されて留守モードに設定された場合を説明する。親機操作部２２が操作されて留守設定されると、システムは留守モードに移行する。
留守モード状態で呼出操作を受けると、子機カメラ１２が起動してその撮像映像が自動保存される。但し、ここでは留守モードに設定されると、自動録画動作に加えて親機２に設けられている人感センサ２８が能動状態となり、感知動作したら親機カメラ２４が撮像を開始して、その撮像映像が録画される。更に、登録されている携帯端末５に対して異常発生が通知される。
【００２５】
具体的に、留守モード状態で子機１が呼出操作されると、呼出信号と共に子機カメラ１２の撮像映像が親機２に伝送される。呼出信号を受信した親機ＣＰＵ２９は、通常モードと同様に呼出音を鳴動させてモニタ２５に来訪者映像を表示させる。そして、録画（映像の保存）が開始される。但し、録画は親機記憶部２７に加えて、子機記憶部１４及び増設親機３の増設親機記憶部３７にも同時に実施され、いずれの記憶部も子機カメラ１２が撮像した同一の映像が保存される。この録画は一定時間（例えば１分）実施される。
【００２６】
このとき、呼出操作した訪問者が空き巣等の悪意のある不審者であって、応答がないことで不在を確認し、窓等から住戸内に侵入した場合は引き続き以下の様な動作が実施される。
住戸に侵入した不審者が親機２のある部屋に入ると、人感センサ２８が能動状態であるためそれを検知する。すると親機ＣＰＵ２９の制御により、親機カメラ２４が撮像を開始して撮像映像が保存される。この場合も子機カメラ１２の撮像映像の保存と同様に親機２と増設親機３と子機１の３箇所で保存される。
尚、増設親機３が無くても良く、その場合映像の保存は親機２と子機１の２箇所で実施される。
【００２７】
また、留守モード状態では人感センサ２８の感知動作を受けて、親機ＣＰＵ２９が公衆通信網Ｎを介して予め登録された居住者が携行する携帯端末５に異常発生の通知を実施し、合わせて親機カメラ２４の撮像映像を送信する。
異常発生の通知はインターネットを使用してメール送信され、例えば「不審者が侵入しました。注意して下さい」等のメッセージが送信される。そしてメールに添付された映像が表示される。
尚、異常発生を通知するメールに添付する情報は映像でなくデータの少ない画像としても良いし、映像や画像を添付しなくても良い。映像や画像情報が無くても通知を受けた居住者は自宅に不審者が侵入したことを把握できる。
【００２８】
その後、侵入した不審者が録画している親機２の存在に気づき、親機２を持ち去ろうと壁から取り外した場合は更に次のような動作を実施する。
親機２が取り外されて子機１との接続が切断されると、子機ＣＰＵ１６がそれを検知して、電源を非常用電源である蓄電池１８に切り替えて子機通話部１３のスピーカからブザー音等の警報音を発報して近隣に報知させる。このとき子機ＣＰＵ１６は、例えば伝送線Ｌ１のインピーダンスの変化から断線を判断する。
尚、蓄電池１８は伝送線Ｌ１を介して親機２からの通電を受けて充電された状態にある。また、親機２にも非常用電源を設けて同様に発報動作させても良い。
【００２９】
このように、子機カメラ１２及び親機カメラ２４の撮像映像は親機２だけでなく子機１及び増設親機３に保存されるため、映像の保存確率が高まり侵入した不審者により親機２が取り外されて破壊若しくは持ち去られても、後から映像の確認が可能であり、侵入者の特定に役立ち防犯機能を上げることができる。
また、留守モードに設定されたら子機カメラ１２の撮像撮像が自動保存されるため、呼出操作した不審者映像を子機記憶部１４及び増設親機記憶部３７に残すことができる。そして、待受状態では子機カメラ１２はオフ状態にあるため、省電力で済む。
更に、留守モード状態では、人感センサ２８が不審者の存在を検知したら親機カメラ２４の撮像撮像が保存されるため、住戸に不審者が侵入したらその映像を残すことができる。加えて、普段は親機カメラ２４はオフ状態にあるため、省電力で済む。
また、親機２が取り外されたら子機１から警報音が報音されるため、近隣に異常発生を通知でき、不審者の撃退や防犯に有効である。
【００３０】
尚、親機２に設けた人感センサ２８の感知動作を受けて親機カメラ２４の録画を開始したが、人感センサ２８は無くても良く、その場合子機カメラ１２と同様に呼出ボタン１１の操作を受けて親機カメラ２４の撮像映像の録画を開始すれば良い。こうすることで、留守時の住戸に不審者が侵入してもその映像を残すことができ、人感センサ２８を設けた場合と同様に侵入者の特定に役立ち防犯機能を上げることができる。
【００３１】
図２は、インターホンシステムの他の形態を示し、親機２の回路ブロックを示している。子機１及び増設親機３は上記図１と同様であるため省略している。上記図１の親機２とは、親機２に映像を一時保存する一時記憶部（一時保存部）４２を設けている点、カメラ接続ＩＦ４３を備えて外部カメラ６が伝送線Ｌ３を介して接続されている点が大きく異なっている。尚、図１と共通する構成要素には同一の符号を付与し説明を省略する。
【００３２】
外部カメラ６は、室内或いは廊下等の親機カメラ２４が撮像できない場所に設置され、留守モードに設定されると上記形態と同様に人感センサ２８が感知動作すると、録画が実施されるが、この形態の場合は一定時間遡った時刻からの映像が録画される。尚、外部カメラ６と親機カメラ２４とは連動して動作する。
【００３３】
具体的に、親機ＣＰＵ２９により制御され、子機１が呼出操作されると、親機カメラ２４及び外部カメラ６は撮像を開始して撮像映像が一時記憶部４２に保存される。一時記憶部４２は、例えば５分間の映像を保存するよう構成され、常時５分前から現在までの映像が常時保存され、５分前以前の保存映像は消去されて最新の映像で上書きされる。
【００３４】
その後、この動作状態で人感センサ２８が感知動作したら、その時点からの双方のカメラ２４，６の撮像映像は、親機記憶部２７、子機記憶部１４、増設親機記憶部３７のそれぞれへ保存される。合わせて親機ＣＰＵ２９は、一時記憶部４２に保存されている一定時間前からの録画映像（例えば５分前からの映像）も取り出して、親機記憶部２７、子機記憶部１４、増設親機記憶部３７のそれぞれに保存する。この結果、人感センサ２８が感知動作する５分前から感知動作した後の所定時間後までの映像が保存される。
【００３５】
尚、留守モードに設定されたら、呼出操作を受けて子機カメラ１２の撮像映像が保存される動作、人感センサ２８が感知動作したら携帯端末５に対して異常発生の通知が成される動作等は、上記実施形態と同様である。
【００３６】
このように、一時記憶部４２を設けて常時一定時間の録画を実施することで、人感センサ２８の感知動作を受けた際に、感知動作する一定時間前からの映像を保存できるため、不審者を判別できる映像が保存されている確率が高まる。
また、親機カメラ２４が撮像した親機周囲の映像だけでなく外部カメラ６の撮像映像も保存されるため、広範囲の映像を保存でき不審者を撮像した映像を確実に残すことができる。
【００３７】
尚、外部カメラ６だけ設けて、親機２に一時記憶部４２を設けなくても良く、その場合は上記実施形態と同様に、人感センサ２８が感知動作してからの親機カメラ２４及び外部カメラ６の撮像映像を保存すれば良く、親機カメラ２４が撮像した親機周囲の映像だけでなく外部カメラ６の撮像映像も保存されるため、広範囲の映像を保存でき不審者の判別に有効である。
【符号の説明】
【００３８】
１・・子機、２・・親機、３・・増設親機、５・・携帯端末、６・・外部カメラ、１１・・呼出ボタン、１２・・子機カメラ、１４・・子機記憶部（第１映像保存部）、１６・・子機ＣＰＵ（断線検知部）、２１・・通話ボタン、２２・・親機操作部（留守設定部）、２４・・親機カメラ、２５・・モニタ、２８・・人感センサ、２９・・親機ＣＰＵ（映像制御部、通信制御部）、３７・・増設親機記憶部（第２映像保存部）、４１・・外部通信ＩＦ（外部通信部）４２・・一時記憶部（一時保存部）。
【図１】
2019036866.tif 000003
【図２】
2019036866.tif 000004